(57)【特許請求の範囲】
【請求項１】
長く延びるように設けられた中棒の長手方向の上部に上ろくろが固定され、前記上ろくろの下方にて前記中棒の前記上ろくろに近づく開傘位置及び前記中棒の前記上ろくろから離れた閉傘位置の間に上下摺動可能にランナーが外嵌されてなる傘の前記上ろくろと前記ランナーとに枢動可能に連結されている骨組みであって、
長く延びる親骨であって、その基端部が前記上ろくろに枢動可能に連結されている親骨と、
長く延びる受骨であって、その基端部が前記ランナーに枢動可能に連結され、前記ランナー側の前記基端部と反対側の先端部が、枢結具を介して前記親骨の前記基端部及びこの基端部と反対側の先端部の間の中間部に枢動可能に連結されている受骨とを備え、
前記親骨は、前記枢結具によって前記枢結具における前記ランナーが前記開傘位置に移動した時前記傘を開傘状態に保持する第１の定位位置側の第１の親骨部と、前記枢結具における前記ランナーが前記閉傘位置に移動した時前記傘を閉傘状態に保持する第２の定位位置側の第２の親骨部とに２分割され、
前記親骨と前記受骨とが前記中棒側に近づくと共に前記受骨と前記親骨の第２の親骨部とが近寄る時、前記親骨及び前記受骨が前記中棒に対して一時的に移動不能に定位されるべく、前記受骨が前記枢結具の前記第２の定位位置にて定位されるように、前記枢結具には第１の係止部が、前記受骨の前記先端部には前記第１の係止部と互いに係止される第２の係止部が設けられていることを特徴とする傘の骨組み。
【請求項２】
前記第１の係止部は、前記枢結具から突起状に設けられ、
前記第２の係止部は、前記第１の係止部を乗り越えて前記枢結具における前記第１の定位位置側、又は前記第２の定位位置側に受け留められるように前記第１の係止部に係止されるよう突起状に設けられていることを特徴とする請求項１に記載の傘の骨組み。
【請求項３】
前記枢結具における前記第２の定位位置側には、前記第２の係止部が前記第１の係止部を乗り越えて前記第２の定位位置に一時的に定位されるように、前記第２の係止部が嵌合する係止凹部が設けられていることを特徴とする請求項２に記載の傘の骨組み。
【請求項４】
前記第１の係止部及び前記第２の係止部は、前記受骨が前記枢結具に対して前記第２の定位位置側に一時的に定位されるように、互いに着脱可能に係合する凹凸形状に設けられていることを特徴とする請求項１に記載の傘の骨組み。
【請求項５】
前記枢結具は、前記中間部側から前記親骨の軸線に沿う軸方向と垂直な径方向の前記受骨側に向かって突き出る枢支片が設けられ、
前記第１の係止部は、前記枢支片の前記親骨の前記中間部から離れた外側部及び前記枢支片の前記第２の親骨部側の底部の間の周面に設けられ、
前記受骨の前記先端部には、前記枢支片を支点として枢動自在に前記枢支片を挟持する受容空間を画成する２つの支持片が突設され、
前記第２の係止部は、前記第１の係止部に対応して２つの前記支持片の前記受容空間内に設けられていることを特徴とする請求項１〜４のいずれかの一項に記載の傘の骨組み。
【請求項６】
２つの前記支持片間の前記受容空間内には、前記第１の係止部が接触して摺動可能に案内されるガイド面を設け、
前記第２の係止部は、前記第１の係止部に対応して前記ガイド面に設けられていることを特徴とする請求項５に記載の傘の骨組み。
【請求項７】
前記第２の係止部は、前記第１の係止部と接触しながら前記第１の係止部を乗り越えるように設けられた当接面部と、前記枢結具における前記第１の定位位置側に対応するように前記当接面部から続いて前記当接面部を挟んで背斜するように設けられた第１の傾斜面部と、前記枢結具における前記第２の定位位置側に対応するように設けられた第２の傾斜面部とを有することを特徴とする請求項６に記載の傘の骨組み。
【請求項８】
前記枢結具は、前記中間部側から前記親骨の軸線に沿う軸方向と垂直な径方向の前記受骨側に向かって突き出る枢支片が設けられ、
前記第１の係止部は、前記枢支片の前記親骨の前記径方向に平行する両側面部における少なくとも１つに設けられ、
前記受骨の前記先端部には、前記枢支片を支点として枢動自在に前記枢支片を挟持する受容空間を画成する２つの支持片が前記受骨の軸線に沿う軸方向に突設され、
前記第２の係止部として、前記第１の係止部に対応して少なくとも１つの前記支持片の前記受容空間側の表面部に設けられていることを特徴とする請求項１〜４のいずれかの一項に記載の傘の骨組み。
【請求項９】
前記第１の係止部として、前記側面部より突起が突設され、
前記第２の係止部として、前記表面部に前記突起が嵌入する係止孔が形成されていることを特徴とする請求項８に記載の傘の骨組み。
【請求項１０】
長く延びるように設けられた中棒と、
前記中棒の長手方向の上部に固定された上ろくろと、
前記上ろくろの下方にて前記中棒の前記上ろくろに近づく開傘位置及び前記中棒の前記上ろくろから離れた閉傘位置の間に上下摺動可能に外嵌されたランナーと、
前記上ろくろと前記ランナーとに枢動可能に連結されている骨組みとを備えている傘において、
前記骨組みとして、請求項１〜９のいずれかの一項に記載の骨組みを用いることを特徴とする傘。
【発明の詳細な説明】
【技術分野】
【０００１】
本発明は、傘の骨組み及びこの骨組みを用いて構成される傘に関する。
【背景技術】
【０００２】
従来の傘では図９に示されているように、中棒６の軸線に沿う方向である軸方向に沿ってランナー８が摺動自在に外嵌されており、中棒６の上部の上ろくろ７に近い下方に形成された上はじき溝にはランナー８の下向きの移動を防止する上はじき６１が浮沈可能に設けられ、中棒６の上ろくろ７から離れた下部に形成された下はじき溝には下はじき６２が浮沈可能に設けられている。
【０００３】
この傘を使用するとき、指でランナー８を押してランナー８を中棒６の軸方向に沿って上ろくろ７向きに摺動させながら、上はじき６１を押して上はじき溝内に退避させ、ランナー８が上はじき溝を滑り越えると、上はじき６１がすぐその弾性反発力によって弾き出てランナー８を係止定位させる。これによって骨組み９が中棒６に対して外側に展開されると同時に傘が開傘状態に保持されることができる。
【０００４】
一方、開傘状態において指で上はじき６１を上はじき溝内に押し込んでランナー８を引っ張って下向きに移動させながら、下はじき６２を押して下はじき溝内に退避させ、ランナー８が下はじき溝を滑り超えると下はじき６２がすぐその弾性反発力によって弾き出てランナー８を係止定位される。これによって骨組み９が中棒６の周りに取り巻いて集束すると共に傘が閉傘状態に保持されることができる。
【０００５】
図９及び図１０に示すように、骨組み９は上ろくろ７に枢動可能に連結されている複数の親骨９１と、ランナー８に枢動可能に連結されている複数の受骨９３とからなっており、親骨９１の基端部を上ろくろ７に枢着すると共に、受骨９３の先端部を枢結具９２によって親骨９１の中間部に枢着し、受骨９３の基端部をランナー８に枢着している。受骨９３は親骨９１に対して揺動可能に枢結具９２によって連結されているので、閉傘状態において傘布に形成されたひだ（図示せず）の重力などにより骨組み９がやや外側に広がるため、傘布（図示せず）に取り付けられたバンド等の留め具（図示せず）で骨組み９を中棒６の周りにまとめて束ねることによって、骨組み９の先端が服等に引っ掛かって骨組み９が折れたり、人に怪我をさせたりすることを少なくすることができる。
【先行技術文献】
【特許文献】
【０００６】
【特許文献１】台湾登録実用新案第Ｍ４２８６９１号第７図
【特許文献２】台湾実用新案公告第３１２５５号代表図
【発明の概要】
【発明が解決しようとする課題】
【０００７】
上記従来の傘において、バンド等の留め具で閉傘状態の骨組み９の広がった先端をまとめて束ねることができるが、傘の製造中に傘布にバンド等の留め具を取り付ける取付工程が必要になり、製造コストがアップする。また、閉傘時傘布を中棒６に巻き取る際に骨組み９の広がりが邪魔になって骨組み９や傘布をまとめ難い等の問題点もある。
【０００８】
本発明は、上記問題点に鑑みてなされたものであり、傘の閉傘時の骨組みが広がらずまとまり易い構造にすることができる傘の骨組みを提供することを目的とする。
【課題を解決するための手段】
【０００９】
上記目的を達成するために、本発明に係る傘の骨組みは、長く延びるように設けられた中棒の長手方向の上部に上ろくろが固定され、前記上ろくろの下方にて前記中棒の前記上ろくろに近づく開傘位置及び前記中棒の前記上ろくろから離れた閉傘位置の間に上下摺動可能にランナーが外嵌されてなる傘の前記上ろくろと前記ランナーとに枢動可能に連結されている骨組みであって、長く延びる親骨であって、その基端部が前記上ろくろに枢動可能に連結されている親骨と、長く延びる受骨であって、その基端部が前記ランナーに枢動可能に連結され、前記ランナー側の前記基端部と反対側の先端部が、枢結具を介して前記親骨の中間部に枢動可能に連結されている受骨とを備え、前記親骨は、前記枢結具によって前記枢結具における前記ランナーが前記開傘位置に移動した時前記傘を開傘状態に保持する第１の定位位置側の第１の親骨部と、前記枢結具における前記ランナーが前記閉傘位置に移動した時前記傘を閉傘状態に保持する第２の定位位置側の第２の親骨部とに２分割され、前記親骨と前記受骨とが前記中棒側に近づくと共に前記受骨と前記親骨の前記第２の親骨部とが近寄る時、前記親骨及び前記受骨が前記中棒に対して一時的に移動不能に定位されるべく、前記受骨が前記枢結具の前記第２の定位位置にて定位されるように、前記枢結具には第１の係止部が設けられ、前記受骨の前記先端部には前記第１の係止部と互いに係止される第２の係止部が設けられていることを特徴とする。
【発明の効果】
【００１０】
本発明に係る傘の骨組みによれば、ランナーが中棒の下端側の閉傘位置に摺動して傘を閉傘状態に保持する際、親骨と受骨とが中棒側に近づくと共に受骨と親骨の第２の親骨部とが近寄ると、受骨に設けられた第２の係止部が枢結具に設けられた第１の係止部を乗り越えて第２の定位位置に受け留められることができる。このように閉傘時に親骨と受骨が中棒に対して定位されることができるので、骨組みが閉傘時において傘布のひだの重力により外側に広がらずに済む。従って、本発明に係る骨組みを用いて閉傘時に傘布や骨組みがまとまり易い構造を有する傘が製造される。
【図面の簡単な説明】
【００１１】
【図１】本発明に係る骨組みを用いた傘の閉傘状態を概略的に示す図である。
【図２】本発明に係る骨組みの第１の実施例を概略的に示す図である。
【図３】図２の分解斜視図である。
【図４】本発明に係る骨組みを用いた傘の開傘状態を概略的に示す図である。
【図５】図４の傘における骨組みを示す側面断面図である。
【図６】本発明に係る骨組みの第２の実施例を概略的に示す図である。
【図７】本発明に係る骨組みの第３の実施例を概略的に示す図である。
【図８】図７におけるVIII-VIII線の断面図である。
【図９】従来の傘の一例を概略的に示す図である。
【図１０】従来例の傘の閉傘時骨組みが広がった状態を示す図である。
【発明を実施するための形態】
【００１２】
図１は、傘の一例を概略的に示す図である。この傘は図１に示すように、長く延びるように設けられた中棒１００と、中棒１００の上部に固定された上ろくろ２００と、上ろくろ２００の下方にて中棒１００の上ろくろ２００に近づく開傘位置及び中棒１００の上ろくろ２００から離れた閉傘位置の間に上下摺動可能に中棒１００に外嵌されたランナー３００と、上ろくろ２００とランナー３００とに枢動可能に連結されている骨組み１を備えている。この傘の構成は、従来の傘とほぼ同様な構成を有するので、詳細な説明を省略する。
【００１３】
以下、添付図面を参照しながら、本発明の特徴構成である骨組みについていくつかの実施例をもって詳しく説明する。なお、下記実施例において、同一構成及び機能を有する構成要素については、同一番号を付してその説明を省略する。
（第１の実施例）
図２は、本発明に係る傘の骨組みの第１の実施例を傘の閉傘状態において概略的に示す図、図３は、第１の実施例に係る骨組みの分解斜視図である。
【００１４】
本発明に係る傘の骨組み１は、図示の如く棒状に長く延びる親骨１０であって、その基端部１０ａが上ろくろ２００に枢動可能に連結されている親骨１０と、棒状に長く延びる受骨３０であって、その基端部３０ａがランナー３００に枢動可能に連結され、該基端部３０ａと反対側の先端部３０ｂが枢結具２０によって親骨１０の基端部１０ａ及び該基端部１０ａの反対側の先端部１０ｂの間の中間部１０ｃに枢動可能に連結されている受骨３０とを備えている。
【００１５】
親骨１０は、枢結具２０によって、枢結具２０におけるランナー３００が開傘位置に移動した時傘を開傘状態に保持する第１の定位位置側の第１の親骨部１１と、枢結具２０におけるランナー３００が閉傘位置に移動した時傘を閉傘状態に保持する第２の定位位置側の第２の親骨部１２とに長手方向に２分割されている。
枢結具２０は、親骨１０の中間部１０ｃを取り巻く筒状の取付部材２１と、取付部材２１の周部から親骨１０の軸線（図示せず）に沿う軸方向と垂直な径方向の受骨３０側に向かって張り出された枢支片２２とからなっている。
受骨３０は、ランナー３００の移動に従って第１の親骨部１１側に近づく、又は第２の親骨部１２側に近づくように、枢結具２０を支点として親骨１０に対して揺動自在に枢着されている。
【００１６】
受骨３０の枢結具２０側の先端部３０ｂには、枢支片２２を支点として枢動自在に枢支片２２を挟持するブラケット部材３１が取り付けられ、ブラケット部材３１は、枢支片２２を挟持するように２つの支持片３１１，３１１が突設され、２つの支持片３１１，３１１の間には、２つの支持片３１１，３１１とにより外部と空間的に連通する受容空間３１３を画成すると共に、枢結具２０が接触して回動するように案内するガイド面３１２が形成されている。ガイド面３１２には第２の係止部３２が受容空間３１３内に例えば突き出るように形成されている。
【００１７】
枢結具２０は、枢支片２２の第２の親骨部１２側の底部２２１及び取付部材２１から離れた外側部２２２の間に、第１の係止部２３が第２の係止部３２に対応すると共に枢支片２２と同一平面状に突き出て形成されている。これによって、第１の係止部２３によって第２の係止部３２が枢結具２０における第１の定位位置側又は第２の定位位置側にて定位されることによって、親骨１０及び受骨３０が中棒１００に対して一時的に移動不能に定位されることができる。
【００１８】
第１の係止部２３は、この例では枢支片２２の少なくとも底部２２１及び外側部２２２の間の周面に丸く突設されることが好ましい。
第２の係止部３２は、ガイド面部３１２に第１の係止部２３に対して設けられている。これによって、受骨３０が親骨１０に対して揺動するとき、枢結具２０の周面がガイド面部３１２を接触摺動しながら第２の係止部３２が第１の係止部２３を乗り越えて、外側部２２２側の第１の定位位置、又は底部２２１側の第２の定位位置に受け留められる。
【００１９】
この例では、第２の係止部３２は図２及び図３に示されているように、例えばガイド面部３１２の中間部に位置するように且つ第１の係止部２３と接触しながらこれを乗り越えるように設けられた当接面部３２１と、当接面部３２１の両端から続いて当接面部３２１を挟んで背斜する、つまり当接面部３２１の両端から互いに背向して傾斜延伸する第１の傾斜面部３２３と第２の傾斜面部３２２とを有し、第１の傾斜面部３２３は外側部２２２に、第２の傾斜面部３２２は底部２２１に対応するように設けられている。
なお、第２の係止部３２は、第１の傾斜面部３２３から当接面部３２１、そして第２の傾斜面部３２２へと連続的且つ滑らかにつなぐアーク形状に形成されることが好ましい。
【００２０】
上記のように構成された傘の骨組みを用いた傘によれば、傘を閉傘する場合、傘の開傘状態（図４）において、指でランナー３００を引っ張って下向きに移動させる操作によって、受骨３０及び親骨１０が中棒１００の周りを取り巻くように枢動すると、ランナー３００の移動に連動して、親骨１０と受骨３０とが中棒１００側に近づくと共に受骨３０と親骨１０の第２の親骨部１２とが近寄る。すると、第２の係止部３２が第２の傾斜面部３２２に案内され第１の係止部２３を乗り越えて、傘の閉傘状態に対応する底部２２１側の第２の定位位置に受け留められる（図２）。
【００２１】
これによって、第２の係止部３２は第２の係止部３２によって引っ掛けられることで受骨３０が親骨１０に対して定位されることができるので、親骨１０が重力により広がることがなくなる。従って、骨組み１が中棒１００の周りに取り巻いてまとまり易くなる。
【００２２】
また、傘を開傘する場合、傘の閉傘状態（図１）において、指でランナー３００を上ろくろ２００に向かって摺動させると、受骨３０がランナー３００の移動に連動して枢動し、親骨１０が連動して受骨３０と共に上側に展開される。このとき第２の係止部３２が第１の傾斜面部３２３及び当接面部３２１に案内され、第１の係止部２３を乗り越えて、傘の開傘状態に対応する外側部２２２側の第１の定位位置に受け留められる（図５）。
【００２３】
以上により、上記のように構成された本実施例に係る傘の骨組み１によれば、閉傘時傘布（図示せず）を中棒１００に巻き取る際に骨組み１の広がりが邪魔になって骨組み１をまとめ難い問題点を解消できると共に、傘の製造中に傘布にバンド等の留め具を取り付ける取付工程をも不要で、製造コストを軽減することができる。
また、本発明に係る傘の骨組み１は中棒１００に対して傘の開傘状態又は閉傘状態に保持するように定位されることができるので、従来のように中棒１００にはじき溝を設けなくてもよい。従って、中棒１００の構造強度が低減することがなく、また、はじきの押圧による指が挟まれる心配もなくなり、傘の開閉操作がより一層安全になる。
【００２４】
（第２の実施例）
図６は、本発明に係る骨組みの第２の実施例を概略的に示す図である。この例において、第２の係止部３２が枢結具２０Ａの第２の親骨部１２側の底部２２１及び第１の親骨部１１側の外側部２２２の間の角部２２３を乗り越えて第２の定位位置側に受け留められるように、第２の係止部３２が嵌入定位される凹部２４が第１の係止部として設けられている。その他の構成は基本的に第１の実施例と同様であるので、ここでは重複する部分の説明を省略する。
【００２５】
この例では、第２の係止部３２が凹部２４に凹凸嵌合することによって、親骨１０及び受骨３０が中棒１００に対して一時的に移動不能に定位されることができる。なお、親骨１０及び受骨３０が中棒１００に対してより一層定位できるように、枢結具２０Ａの第２の親骨部１２側の底部２２１及び第１の親骨部１１側の外側部２２２の間の角部２２３が突き出るように形成されてもよい。
【００２６】
これにより、傘の閉傘状態において第２の係止部３２が枢結具２０の第２の親骨部１２側の底部２２１と第１の親骨部１１側の外側部２２２との間の角部２２３を乗り越えて凹部２４に嵌入される。これによって、枢結具２０における底部２２１側の第２の定位位置にて一時的に定位されるように受け留められるので、骨組み１Ａが中棒１００に対して外側に広がらず中棒１００の周りに集束することができる。
【００２７】
（第３の実施例）
図７は、本発明に係る骨組みの第３の実施例を概略的に示す図、図８は、図７におけるVIII-VIII線に沿う断面図である。この例において、第１の係止部として、突起２３Ｂが枢支
片２２の親骨１０の径方向に平行する２つの側面部２２４，２２４に突設され、第２の係止部として、係止孔３２Ｂが第１の係止部２３Ｂに対応して凹凸嵌入されるように支持片３１１，３１１の受容空間３１３側の表面部３１１ａ，３１１ａに設けられている。
【００２８】
これによって、傘を閉傘するとき、枢結具２０を介して受骨３０が親骨１０に対して揺動すると、第１の係止部としての突起２３Ｂが枢結具２０の側面部２２４を摺動しながら第２の係止部としての係止孔３２Ｂに嵌入係止されることによって、枢結具２０に対して第２の定位位置側にて一時的に定位されるように受け留められるので、骨組み１Ｂが中棒１００に対して外側に広がらず中棒１００の周りに集束することができる。
【００２９】
なお、突起２３Ｂ、係止孔３２Ｂの個数等は図示例の場合に限らず、必要に応じて適宜増減することができ、上記実施形態と同様な作用効果を得ることができる。
また、本発明に係る傘の骨組みは、長傘のみならず、例えば入れ子パイプによる伸縮式中棒を備えた折畳み傘にも有用である。
【００３０】
以上、本発明を実施形態と共に説明したが、本発明はこれらの実施形態にのみ限定されるものではなく、本発明の範囲内で変更等が可能である。
【符号の説明】
【００３１】
１００  中棒
２００  上ろくろ
１  骨組み
１０  親骨
１０ａ  基端部
１０ｂ  先端部
１０ｃ  中間部
１１  第１の親骨部
１２  第２の親骨部
２０  枢結具
２１  取付部材
２２  枢支片
２２１  底部
２２２  外側部
２２３  角部
２２４  側面部
２４  凹部
３０  受骨
３００  ランナー
３０ａ  基端部
３０ｂ  先端部
３１  ブラケット部材
３１１  支持片
３１１ａ  表面部
３１２  ガイド面
３１３  受容空間
３２  第２の係止部
３２１  当接面部
３２２  第２の傾斜面部
３２３  第１の傾斜面部
【図１】
0005503721.tif 000002
【図２】
0005503721.tif 000003
【図３】
0005503721.tif 000004
【図４】
0005503721.tif 000005
【図５】
0005503721.tif 000006
【図６】
0005503721.tif 000007
【図７】
0005503721.tif 000008
【図８】
0005503721.tif 000009
【図９】
0005503721.tif 000010
【図１０】
0005503721.tif 000011